(57)【要約】【課題】携帯通信端末から出力される音を聞こえやすくすることが可能な携帯通信端末を提供する。【解決手段】スマートフォン１０は、筐体２０と、スピーカー５を備える。筐体２０は、少なくとも一つ以上の貫通した孔２１を有する。スピーカー５は、孔２１の内部に位置する。スピーカー５は、孔２１の内部に音を出力する。スピーカー５は、孔２１の内部に出力した音を、孔２１の第１開口部２１ａ及び第２開口部２１ｂを通して筐体２０の外部に放出する。【選択図】図４
2017135618.tif 000002
【特許請求の範囲】
【請求項１】
少なくとも一つ以上の貫通した孔を有する筐体と、
前記孔の内部に位置するスピーカーと、を備え、
前記スピーカーは、出力した音を、前記孔を通して前記筐体の外部に放出することを特徴とする携帯通信端末。
【請求項２】
前記筐体は、板部と、当該板部を囲む枠部とを含み、
前記孔は、前記板部の表面および裏面に渡って貫通している、ことを特徴とする請求項１に記載の携帯通信端末。
【請求項３】
前記孔は、前記枠部と前記板部とで規定され、
前記スピーカーは、前記孔のなかにおいて、前記枠部のうち前記孔を規定する規定面に対向して位置し、
前記スピーカーは、出力した音を、前記枠部の前記規定面に向かって出力し、前記枠部の前記規定面に反射させた音を前記筐体の外部に放出する、ことを特徴とする請求項１または請求項２に記載の携帯通信端末。
【請求項４】
前記筐体は、可動部をさらに含み、
前記スピーカーは、前記可動部に対向して配設され、
前記スピーカーは、出力した音を、前記可動部に向かって出力し、前記可動部に反射させた音を前記筐体の外部に放出する、ことを特徴とする請求項１または請求項２に記載の携帯通信端末。
【請求項５】
前記板部は、前記可動部と前記枠部とで周囲を囲まれている、ことを特徴とする請求項１から請求項４のいずれか一項に記載の携帯通信端末。
【請求項６】
前記枠は、前記表面および前記裏面よりも外部に突出していることを特徴とする請求項１から請求項５のいずれか一項に記載の携帯通信端末。
【発明の詳細な説明】
【技術分野】
【０００１】
本発明は、スピーカーを内蔵した携帯通信端末に関するものである。
【背景技術】
【０００２】
近年、携帯通信端末には多くの機能が搭載されるようになり、携帯通信端末の利用範囲が著しく広がっている。特に、音出力に関連する機能としては、アラーム、音楽の再生や動画の再生等の機能がある。
【０００３】
従来から、携帯通信端末は、音声出力部を備え、音声出力部はスピーカー等の音声出力手段で構成され、携帯通信端末のタッチパネルディスプレイの上方に音声出力部が備えられている（例えば、特許文献１参照）。
【０００４】
また、携帯通信端末の側面にスピーカーを設ける技術も開示されている（例えば、特許文献２参照）。
【先行技術文献】
【特許文献】
【０００５】
【特許文献１】特開２０１４−００３３５０号公報
【特許文献２】特開平８−３０７４９７号公報
【発明の概要】
【発明が解決しようとする課題】
【０００６】
しかしながら、特許文献１のように、筐体の表面に音声出力部を備えた構成の場合、筐体の表面を下側に向けて机上に置くと、筐体の表面の音声出力部が机により塞がってしまい、出力される音量が小さくなってしまうことがある。この結果、携帯通信端末の使用者は、携帯通信端末から出力される音が聞こえづらくなってしまう、という問題がある。
【０００７】
また、特許文献２のように、筐体の側面にスピーカーを備えた構成の場合、絨毯上に携帯通信端末を置くと、絨毯の毛によって筐体の側面が塞がってしまうことがある。この場合も、特許文献１と同様に、出力される音量が小さくなってしまうことから、携帯通信端末の使用者は、携帯通信端末から出力される音が聞こえづらくなってしまう、という問題がある。
【０００８】
したがって、本発明の目的は、音声出力部が表面に配設されている筐体の表面を下側に向けて机上に置いた場合や、音声出力部が側面に配設されている筐体を絨毯上に置いた場合でも、携帯通信端末から出力される音を聞こえやすくすることが可能な携帯通信端末を提供することにある。
【課題を解決するための手段】
【０００９】
一つの態様に係る携帯通信端末は、少なくとも一つ以上の貫通した孔を有する筐体と、前記孔の内部に位置するスピーカーと、を備え、前記スピーカーは、出力した音を、前記孔を通して前記筐体の外部に放出することを特徴とする。
【発明の効果】
【００１０】
上述の態様によれば、音声出力部が表面に配設されている筐体の表面を下側に向けて机上に置いた場合や、音声出力部が側面に配設されている筐体を絨毯上に置いた場合でも、携帯通信端末から出力される音を聞こえやすくすることが可能な携帯通信端末を提供することができる。
【図面の簡単な説明】
【００１１】
【図１】図１は、第１の実施形態に係るスマートフォンの構成を示すブロック図である。
【図２】図２は、第１の実施形態に係るスマートフォンの表面側の外観図である。
【図３】図３は、第１の実施形態に係るスマートフォンの裏面側の外観図である。
【図４】図４は、第１の実施形態に係るスマートフォンの断面図である。
【図５】図５は、第２の実施形態に係るスマートフォンの表面側の外観図である。
【図６】図６は、第２の実施形態に係るスマートフォンの裏面側の外観図である。
【図７】図７は、第２の実施形態に係るスマートフォンの表面側の外観斜視図である。
【図８】図８は、第２の実施形態に係るスマートフォンの裏面側の外観斜視図である。
【図９】図９は、第２の実施形態に係るスマートフォンの可動部を回転させた場合の表面側の外観図である。
【図１０】図１０は、第２の実施形態に係るスマートフォンの可動部を回転させた場合の裏面側の外観図である。
【図１１】図１１は、第２の実施形態に係るスマートフォンの断面図である。
【図１２】図１２は、スマートフォンの変形例を示す断面図である。
【発明を実施するための形態】
【００１２】
（第１の実施形態）
図１から図４を参照しながら、第１の実施形態に係るスマートフォン１０のブロック図と、機能的な構成について説明する。係る第１の実施形態に示す寸法、材料、その他具体的数値などは発明の理解を容易とするための例示にすぎず、特に断る場合を除き、限定するものではない。また、以下の説明においては、同様の構成要素に同一の符号を付すことがある。さらに、重複する説明は省略することがある。以下では、携帯通信端末の一例として、スピーカーを内蔵したスマートフォンを用いて説明するが、スピーカーを内蔵する携帯通信端末であれば、他の携帯通信端末であってもよい。
【００１３】
図１は、スマートフォン１０の構成を示すブロック図である。図２、図３はスマートフォン１０の外観図である。図４は、図２に示すIV−IV線に沿った断面図である。スマートフォン１０は、スピーカー５と、マイク６と、ボタン７と、カメラ８と、コネクタ１１と、通信ユニット１２と、コントローラ１３と、ストレージ１４と、タッチスクリーンディスプレイ１５と、筐体２０と、を有する。
【００１４】
スピーカー５は、コントローラ１３から送信される音声信号を音声として出力する。スピーカー５は、例えば、着信音及び音楽を出力するために用いられる。
【００１５】
マイク６は、ユーザ等の音声を音声信号へ変換できる。マイクは、変換した音声信号をコントローラ１３へ送信する。
【００１６】
ボタン７は、ユーザによって操作される。ボタン７は、ユーザに操作されると、コントローラ１３に電気信号を送信する。ボタン７は、コントローラ１３はボタン７と協働することによってボタン７に対する操作を検出する。ボタン７に対する操作は、例えば、クリック、ダブルクリック、トリプルクリック、プッシュ、及びマルチプッシュである。ボタン７は、例えば、スマートフォン１０の電源ボタンである。ボタン７は単数であっても複数であってもよい。
【００１７】
カメラ８は、撮影した像を電気信号へ変換する。
【００１８】
コネクタ１１は、他の装置が接続される端子を含む。コネクタ１１は、ＵＳＢ（Ｕｎｉｖｅｒｓａｌ  Ｓｅｒｉａｌ  Ｂｕｓ）（登録商標）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（登録商標）、サンダーボルト（登録商標）、イヤホンマイクコネクタのような汎用的な端子であってもよい。コネクタ１１は、Ｄｏｃｋコネクタのような専用の端子でもよい。コネクタ１１に接続される機器は、例えば、外部ストレージ、スピーカー、及び通信装置である。
【００１９】
通信ユニット１２は、無線により他の機器と通信する。通信ユニット１２で無線により通信する際に使われる通信方式は、無線通信規格に基づく。無線通信規格としては、例えば、２Ｇ、３Ｇ、４Ｇ等のセルラーフォンの通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｐＢｅｅ（登録商標）がある。近距離通信規格として、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。通信ユニット１２は、上述した通信規格の１つ又は複数をサポートしてもよい。
【００２０】
タッチスクリーンディスプレイ１５は、ディスプレイ１５２とタッチスクリーン１５１とを有する。ディスプレイ１５２は、表示デバイス等を含む。表示デバイスは、液晶ディスプレイ（Ｌｉｑｕｉｄ  Ｃｒｙｓｔａｌ  Ｄｉｓｐｌａｙ），有機ＥＬパネル（Ｏｒｇａｎｉｃ  Ｅｌｅｃｔｒｏ−Ｌｕｍｉｎｅｓｃｅｎｃｅ  ｐａｎｅｌ）は、又は無線ＥＬパネル（Ｉｎｏｒｇａｎｉｃ  Ｅｌｅｃｔｒｏ−Ｌｕｍｉｎｅｓｃｅｎｃｅ  ｐａｎｅｌ）等を含む。ディスプレイ１５２は、オブジェクトを表示できる。オブジェクトは、文字、画像、記号、及び図形等を含む。タッチスクリーン１５１は、タッチスクリーン１５１に対する指、ペン、又は、スタイラスペン等の接触を検出できる。タッチスクリーン１５１は、複数の指、ペン、又はスタイラスペン等がタッチスクリーン１５１に接触した位置を検出できる。コントローラ１３はタッチスクリーン１５１と協働することによってユーザの操作を検出する。タッチスクリーン１５１の検出方法は、静電容量方式、抵抗膜方式、表面弾性派方式（又は超音波方式）、赤外線方式、電磁誘導方式、及び荷重検出方式等の任意の方式でよい。
【００２１】
コントローラ１３は、プロセッサを含む。プロセッサは、例えば、ＣＰＵ（Ｃｅｎｔｒａｌ  Ｐｒｏｃｅｓｓｉｎｇ  Ｕｎｉｔ）、コプロセッサ（Ｃｏｒｐｏｒａｔｅ  Ｐｒｏｃｅｓｓｏｒ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１３は、スマートフォン１０の動作を統括的に制御して各種の機能を実現する。
【００２２】
具体的には、コントローラ１３は、ストレージ１４に記憶されているプログラムに含まれる命令を実行する。コントローラ１３は、命令を実行する際に、ストレージ１４に記憶されているデータを必要に応じて参照する。コントローラ１３は、データ及び命令に応じて機能部を制御して、各種機能を実現する。機能部は、例えば、ディスプレイ１５２、マイク６、通信ユニット１２、及びスピーカー５を含むが、これらに限定されない。コントローラ１３は、検出部の検出結果に応じて、制御を変更することがある。検出部は、例えば、マイク６、ボタン７、カメラ８、及びタッチスクリーン１５１を含むが、これらに限定されない。
【００２３】
ストレージ１４は、プログラム及びデータを記憶する。ストレージ１４は、コントローラ１３の処理結果を一時的に記憶する作業領域としても利用される。ストレージ１４は、半導体記憶媒体、及び磁気記憶媒体等の任意の非一過的（ｎｏｎ−ｔｒａｎｓｉｔｏｒｙ）な記憶媒体を含んでよい。ストレージ１４は、複数の種類の記憶媒体を含んでもよい。ストレージ１４は、メモリカード、光ディスク、又は光磁気ディスク等の可搬の記憶媒体と、記憶媒体の読み取り装置との組み合わせを含んでよい。ストレージ１４は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２４】
ストレージ１４に記憶されるプログラムには、フォアグランド又はバッググランドで実行されるアプリケーション１４２と、アプリケーションの動作を支援する制御プログラム１４１とが含まれる。アプリケーション１４２は、例えば、フォアグランドで実行されると、ディスプレイ１５２に画面が表示される。アプリケーション１４２は、例えば、バッググランドで実行されると、ディスプレイ１５２に画面が表示されない。制御プログラム１４１には、例えば、ＯＳが含まれる。
【００２５】
制御プログラム１４１は、通信ユニット１２等を制御することによって、無線通信規格を用いた通信を実現させるための機能を提供する。制御プログラム１４１は、通信ユニット１２を制御することによって、近距離無線通信規格を用いた通信を実現させるための機能を提供する。制御プログラム１４１は、例えば、マイク６及び通信ユニット１２等を制御することによって、通話を実現させるための機能を提供する。制御プログラム１４１により提供される機能は、複数のプログラムモジュールに分割されてよいし、他のプログラムと結合されてよい。
【００２６】
筐体２０は、枠部４０と、板部３０と、を含む。筐体２０は、孔２１を有する。筐体２０は、タッチスクリーンディスプレイ１５と、マイク６と、ボタン７と、コネクタ１１と、通信ユニット１２と、カメラ８と、スピーカー５と、コントローラ１３と、ストレージ１４と、を内含する。
【００２７】
板部３０は、表面３０ａと、裏面３０ｂと、側面３０ｃと、を有する。表面３０ａと裏面３０ｂとは、板部３０の反対側に位置する。タッチスクリーンディスプレイ１５は表面３０ａ側に位置する。板部３０は枠部４０で囲まれている。板部３０の側面３０ｃは凹部３０ｄを含む。凹部３０ｄは側面３０ｃの他の部位より内側に窪んでいる。凹部３０ｄは、表面３０ａ及び裏面３０ｂの両方と繋がっている。
【００２８】
枠部４０は、板部３０の周囲を囲むように位置する。枠部４０は、中心に貫通孔がある。板部３０は、貫通孔の中にある。枠部４０は、板部３０の側面３０ｃと、樹脂を介して付いている。枠部４０の周囲の長さは板部３０の周囲の長さよりも長い。スマートフォン１０の表面３０ａを上側に向けた状態で平面に置くと、枠部４０の高さは、例えば同じ高さとなる。スマートフォン１０の表面３０ａを上側に向けた状態で平面に置くと、枠部４０の高さは、板部３０の高さよりも高くなる。枠部４０の断面は、中心が空洞である。図２では、枠部４０は方形であるが、これに限らず、例えば円形または楕円形であってよい。
【００２９】
孔２１は板部３０と枠部４０とで規定される。孔２１は、凹部３０ｄと、枠部４０のうち当該凹部３０ｄと対向する部位４０ａとで規定される。孔２１は、板部３０の表面３０ａ及び裏面３０ｂに渡って貫通している。孔２１は、第１開口部２１ａと第２開口部２１ｂとを含む。第１開口部２１ａは表面３０ａ側に位置する。第２開口部２１ｂは裏面３０ｂ側に位置する。孔２１は、板部３０の表面３０ａ及び裏面３０ｂの間に空間２２を含む。空間２２は、凹部３０ｄの中心から窪んでいる所にある。空間２２の内部には、スピーカー５が位置する。
【００３０】
スピーカー５は、部位４０ａと対向している。スピーカー５は、出力した音を、部位４０ａに向かって出力する。部位４０ａに反射された音は、第１開口部２１ａと第２開口部２１ｂとを通して、筐体２０の外部に放出される。
【００３１】
上記に説明したように、第１の実施形態に係るスマートフォン１０によれば、第１開口部２１ａ及び第２開口部２１ｂの両方の孔からスマートフォン１０の外部に音が出力される。よって、一方の開口部が塞がれていても、もう一方の開口部から音が出力されるため、スマートフォン１０の表面側や裏面側といった向きに影響しない。また、絨毯等の毛によって筐体の表面側以外の面を覆ってしまった場合でも、音の出力に影響しない。更に、机上に置いた場合、枠部４０は、表面３０ａおよび裏面３０ｂよりも外部に突出することにより、直接、孔２１が机上で塞がれることがない。したがって、音声出力部が表面に配設されている筐体の表面を下側に向けて机上に置いた場合や、音声出力部が側面に配設されている筐体を絨毯上に置いた場合でも、携帯通信端末から出力される音を聞こえやすくすることが可能な携帯通信端末を提供することができる。
【００３２】
なお、図１から図４に示したスマートフォン１０の機能構成及び外観構成は例であり、本発明の要旨を損なわない範囲において適宜変更してもよい。
【００３３】
（第２の実施形態）
次に、第２の実施形態に係るスマートフォン１０について、以下に説明する。なお、第２の実施形態では、第１の実施形態のスマートフォン１０の説明と重複する構成要素および動作については、同一の符号を付すことにより説明を省略する。
【００３４】
図５、図６、図７、図８、図９、図１０、及び図１１に、第２の実施形態に係るスマートフォン１０を示す。
【００３５】
図５及び図６は、可動部４１を含んだスマートフォン１０の外観図である。図７及び図８は、可動部４１を含んだスマートフォン１０の外観斜視図である。図９及び図１０は、スマートフォン１０の可動部４１を回転させた場合の外観図である。図１１は、図５に示すＸＩ−ＸＩ線に沿った断面図である。
【００３６】
第２の実施形態では、枠部４０を枠部４０Ａに変更する。また、板部３０は、板部３０Ａに変更する。
【００３７】
板部３０Ａは、表面３０Ａａと、裏面３０Ａｂと、側面３０Ａｃと、を有する。表面３０Ａａと裏面３０Ａｂとは、板部３０Ａの反対側に位置する。タッチスクリーンディスプレイ１５Ａは表面３０Ａａ側に位置する。板部３０Ａは枠部４０Ａで囲まれている。板部３０Ａの側面３０Ａｃは凹部３０Ａｄを含む。凹部３０Ａｄは側面３０Ａｃの他の部位より内側に窪んでいる。凹部３０Ａｄは、表面３０Ａａ及び裏面３０Ａｂの両方と繋がっている。
【００３８】
枠部４０Ａは、可動部４１と、その他の部位４２と、を含む。その他の部位４２は、側面３０Ａｃと、樹脂を介して付いている。可動部４１は、凹部３０Ａｄと対向する部位４０Ａａを含む。部位４０Ａａは、凹部３０Ａｄと離れている。枠部４０Ａは、可動部４１を中心に挟んで、その他の部位４２の一方の端と、その他の部位４２の他方の端とが繋がっている。枠部４０Ａは、可動部４１と、その他の部位４２の両端との間に、それぞれ軸がある。枠部４０Ａの軸は、部位４０Ａａに沿って延びている。
【００３９】
可動部４１は、２本の枠部４０Ａの軸を介して、その他の部位４２と繋がっている。可動部４１は、枠部４０Ａの軸を中心として、回転する。可動部４１は、回転前の位置を維持したまま、回転する。その他の部位４２は回転しない。可動部４１は、凹部３０Ａｄと対向して位置する。可動部４１は孔が空いている。可動部４１は、孔の中に、カメラ８を含む。
【００４０】
カメラ８は、ＣＣＤ（Ｃｈａｒｇｅ  Ｃｏｕｐｌｅｄ  Ｄｅｖｉｃｅ）やＣＭＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の映像素子で構成され、静止画や動画を撮影する。スマートフォン１０は、可動部４１を回転させてカメラ８の向きを変更することができる。スマートフォン１０は、カメラ８を任意の方向に向けて、撮影することができる。
【００４１】
孔２１Ａは板部３０Ａと枠部４０Ａとで規定される。孔２１Ａは、凹部３０Ａｄと、枠部４０Ａのうち当該凹部３０Ａｄと対向する部位４０Ａａとで規定される。孔２１Ａは、板部３０Ａの表面３０Ａａ及び裏面３０Ａｂに渡って貫通している。孔２１Ａは、第１開口部２１Ａａと第２開口部２１Ａｂとを含む。第１開口部２１Ａａは表面３０Ａａ側に位置する。第２開口部２１Ａｂは裏面３０Ａｂ側に位置する。
【００４２】
次に、スマートフォン１０の可動部４１を回転させた場合について、以下に説明する。
【００４３】
図９に示す通り、ユーザは、ユーザの指９１でスマートフォン１０の可動部４１を回転させて、カメラ８の向きをスマートフォン１０の正面側に向けることができる。
【００４４】
図１０に示す通り、ユーザは、ユーザの指９１でスマートフォン１０の可動部４１を回転させて、カメラ８の向きをスマートフォン１０の裏側に向けることができる。
【００４５】
図１１に示す通り、スピーカー５は、可動部４１に対向している。スピーカー５は、出力した音を、可動部４１に向かって出力する。可動部４１に反射された音は、第１開口部２１Ａａと第２開口部２１Ａｂを通して、筐体２０の外部に放出される。
【００４６】
上記に説明したように、第２の実施形態に係るスマートフォン１０によれば、スピーカー５から出力した音を、可動部４１に向かって出力し、可動部４１に反射させた音を、第１開口部２１Ａａと第２開口部２１Ａｂとを通して、スマートフォン１０の外部に放出することができる。つまり、第１開口部２１Ａａ及び第２開口部２１Ａｂの両方の孔から、外部に音が出力されることにより、スマートフォン１０の表面側や裏面側といった向きに出力される音が影響しない。また、絨毯等の毛によって筐体の表面側以外の面を覆ってしまった場合でも、音の出力に影響しない。したがって、音声出力部が表面に配設されている筐体の表面を下側に向けて机上に置いた場合や、音声出力部が側面に配設されている筐体を絨毯上に置いた場合でも、携帯通信端末から出力される音を聞こえやすくすることが可能な携帯通信端末を提供することができる。
【００４７】
また、スマートフォン１０は、可動部４１及び板部３０Ａとの間に孔２１Ａを含む。通常、可動部４１を回転させるため、板部３０Ａとの間に空間を設ける必要がある。スマートフォン１０は可動部４１及び板部３０Ａとの間に孔２１Ａを有するため、当該孔２１Ａの他に別途に空間を設ける必要がない。
【００４８】
なお、図５から図１１に示したスマートフォン１０の外観構成は例であり、本発明の要旨を損なわない範囲において適宜変更してもよい。
【００４９】
スマートフォン１０の筐体２０は、例えば、図１２に示したように、孔２１Ａの位置と反対側に第２の孔２３を有してよい。筐体２０は、第２の孔２３を有することで、例えば、机９２の上に置いた場合に、孔２１Ａの第１開口部２１Ａａと第２開口部２１Ａｂとを通して出力された音を、スマートフォン１０の上側に放出することができる。この場合、下側にある第２開口部２１Ａｂを通して出力された音は、筐体２０と机９２との間を伝わって、第２の孔２３に届く。
【００５０】
スマートフォン１０は、孔２１Ａの中にリフレクターを備えてもよい。リフレクターを備えることで、スマートフォン１０は、カメラ８が向けられた方向へ音を集めることができる。スピーカー５から出力された音は孔２１Ａ内でリフレクターに当たって反射する。反射した音は開口部から放出される。リフレクターはカメラ８が向けられた方向に応じて、反射させる方向を変更することができる。
【００５１】
以上、添付の請求項に係る技術を完全かつ明瞭に開示するために特徴的な実施形態に関し記載してきた。しかし、添付の請求項は、上記の実施形態に限定されるべきものではなく、本明細書に示した基礎的事項の範囲内で当該技術分野の当業者が創作し得るすべての変形例及び代替可能な構成により具現化されるべきである。
【符号の説明】
【００５２】
１０  スマートフォン
２０  筐体
２１、２１Ａ  孔
２１ａ、２１Ａａ  第１開口部
２１ｂ、２１Ａｂ  第２開口部
２２  空間
２３  第２の孔
３０、３０Ａ  板部
３０ａ、３０Ａａ  表面
３０ｂ、３０Ａｂ  裏面
３０ｃ、３０Ａｃ  側面
３０ｄ、３０Ａｄ  凹部
４０、４０Ａ  枠部
４０ａ、４０Ａａ  部位
４１  可動部
４２  その他の部位
５  スピーカー
６  マイク
７  ボタン
８  カメラ
１１  コネクタ
１２  通信ユニット
１３  コントローラ
１４  ストレージ
１４１  制御プログラム
１４２  アプリケーション
１５、１５Ａ  タッチスクリーンディスプレイ
１５１  タッチスクリーン
１５２  ディスプレイ
９１  指
９２  机
【図１】
2017135618.tif 000003
【図２】
2017135618.tif 000004
【図３】
2017135618.tif 000005
【図４】
2017135618.tif 000006
【図５】
2017135618.tif 000007
【図６】
2017135618.tif 000008
【図７】
2017135618.tif 000009
【図８】
2017135618.tif 000010
【図９】
2017135618.tif 000011
【図１０】
2017135618.tif 000012
【図１１】
2017135618.tif 000013
【図１２】
2017135618.tif 000014